(57)【要約】【課題】簡素な構成でセキュリティ性に優れる宅配ボックスを提供する。【解決手段】宅配ボックス１は、一つの扉と、一つのボックス本体と、錠装置２０と、カードリーダー３０と、制御装置５０とを有している。制御装置５０は、ボックス本体に対する荷物の状況に応じて切り替え可能な複数の動作モードを有している。そして、制御装置５０は、個々の動作モードについて定められた扉の解錠権限に従って宅配業者カードＢ１〜Ｂ３のそれぞれに対する扉の解錠制御を行う。【選択図】図２
2019058382.tif 000002
【特許請求の範囲】
【請求項１】
開閉可能な一つの扉と、
内部に荷物を収容可能な一つのボックス本体と、
前記扉の施解錠を行う錠装置と、
記録媒体から情報を読み取る読取装置と、
前記扉が閉扉されると当該扉の施錠を行う一方、前記読取装置が読み取った情報に基づいて前記扉の解錠を制御する制御装置と、を備えた宅配ボックスにおいて、
前記記録媒体は、
ユーザーに対して用意され、当該ユーザーを認証する固有の認証情報が記録された第１記録媒体と、
宅配業者毎に用意され、それぞれに宅配業者を認証する固有の認証情報が記録された複数の第２記録媒体と、を含み、
前記制御装置は、
前記ボックス本体に対する荷物の状況に応じて切り替え可能な複数の動作モードを有し、
個々の動作モードについて定められた前記扉の解錠権限に従って前記第２記録媒体のそれぞれに対する前記扉の解錠制御を行う
宅配ボックス。
【請求項２】
前記複数の動作モードは、
前記ボックス本体に荷物が収容されていないボックス空きモードと、
前記ボックス本体に荷物が収容されて、かつ当該荷物が宅配業者により宅配された荷物である着荷モードと、を含み、
前記ボックス空きモードでは、宅配業者のそれぞれに用意された前記複数の第２記録媒体の全てに解錠権限が付与され、
前記着荷モードでは、宅配業者のそれぞれに用意された前記複数の第２記録媒体のいずれにも解錠権限が付与されていない
請求項１記載の宅配ボックス。
【請求項３】
前記複数の動作モードは、
前記ボックス本体に荷物が収容されて、かつ当該荷物が宅配業者により集荷される荷物である集荷モードをさらに含み、
前記集荷モードでは、宅配業者のそれぞれに用意された前記複数の第２記録媒体のうち、ユーザーによって指定された所定の第２記録媒体にのみ解錠権限が付与されている
請求項２記載の宅配ボックス。
【請求項４】
前記制御装置は、
前記扉の解錠を行った記録媒体の履歴を示す履歴情報に基づいて、動作モードの切り替えを行う
請求項１から３のいずれか記載の宅配ボックス。
【請求項５】
前記ボックス本体に荷物が収容されていることを検知する荷物センサーをさらに有し、
前記制御装置は、
前記荷物センサーの検知結果と、前記扉の解錠を行った直近１回分の記録媒体に関する情報とに基づいて、動作モードの切り替えを行う
請求項４記載の宅配ボックス。
【請求項６】
前記制御装置は、
前記扉の解錠を行った直近２回分の記録媒体に関する情報に基づいて、動作モードの切り替えを行う
請求項４記載の宅配ボックス。
【請求項７】
前記制御装置は、
前記ユーザーが前記扉の解錠を行う行為が、宅配された荷物の取り出しか、それとも集荷される荷物の預け入れかを示す制御フラグを備え、
前記扉の解錠を行った直近２回分の記録媒体に関する情報と、前記制御フラグとに基づいて、動作モードの切り替えを行う
請求項６記載の宅配ボックス。
【請求項８】
開閉可能な一つの扉と、
内部に荷物を収容可能な一つのボックス本体と、
前記扉の施解錠を行う錠装置と、
記録媒体から情報を読み取る読取装置と、
前記読取装置が読み取った情報に基づいて前記扉の解錠を制御する制御装置と、を備えた宅配ボックスにおいて、
前記記録媒体は、
ユーザーに対して用意され、当該ユーザーを認証する固有の認証情報が記録された第１記録媒体と、
宅配業者毎に用意され、それぞれに宅配業者を認証する固有の認証情報が記録された複数の第２記録媒体と、を含み、
前記ボックス本体に対する荷物の状況に応じて切り替え可能な複数の動作モードを有し、
前記第１記録媒体には、前記複数の動作モードのいずれにおいても解錠権限が付与され、
前記第２記録媒体には、前記複数の動作モードについて定められた前記扉の解錠権限に従って解錠権限が付与される
宅配ボックス。
【請求項９】
前記複数の動作モードは、
前記ボックス本体に荷物が収容されていないボックス空きモードと、
前記ボックス本体に荷物が収容されて、かつ当該荷物が宅配業者により宅配された荷物である着荷モードと、
前記ボックス本体に荷物が収容されて、かつ当該荷物が宅配業者により集荷される荷物である集荷モードと、を含み、
前記ボックス空きモードでは、宅配業者のそれぞれに用意された前記複数の第２記録媒体の全てに解錠権限が付与され、
前記着荷モードでは、宅配業者のそれぞれに用意された前記複数の第２記録媒体のいずれにも解錠権限が付与されず、
前記集荷モードでは、宅配業者のそれぞれに用意された前記複数の第２記録媒体のうち、ユーザーによって指定された所定の第２記録媒体にのみ解錠権限が付与されている
請求項８記載の宅配ボックス。
【発明の詳細な説明】
【技術分野】
【０００１】
本発明は、宅配ボックスに係り、特に、一戸建て住宅等の宅配ボックスに関する。
【背景技術】
【０００２】
従来より、住宅に設置されるロッカーボックスを利用して、ユーザーへと宅配する荷物を宅配業者が預け入れる技術が知られている。このようなロッカーボックスは、設置に多大なコストを要することから、複数の世帯が入居する集合住宅において広く普及している。
【０００３】
一方で、宅配業界においては再配達件数の増加が問題となっており、一戸建て住宅においても、荷物預入の機能を備えた宅配ボックスを設置する動きが広がっている。
【０００４】
例えば、特許文献１には、宅配用ロッカー（宅配ボックス）を用いた配送管理システムが開示されている。この配送管理システムにおいては、宅配業者が業者用キーを用いて宅配用ロッカーの開閉扉を解錠すると、宅配用ロッカーの通知手段より、ロッカー管理会社のコンピューターに業者側解錠情報が通知される。同様に、顧客が顧客用キーを用いて宅配用ロッカーの開閉扉を解錠すると、宅配用ロッカーの通知手段より、ロッカー管理会社のコンピューターに顧客側解錠情報が通知される。この配送管理システムによれば、ロッカー管理会社のコンピューターにおいて開閉扉の解錠に関する情報を管理することで、いたずら等を防止する仕組みとなっている。
【先行技術文献】
【特許文献】
【０００５】
【特許文献１】特開２００３−１６５２２号公報
【発明の概要】
【発明が解決しようとする課題】
【０００６】
ところで、この類の宅配ボックスにあっては、ボックス本体内に荷物が収容されていないボックス空き状態で扉を解錠状態のままにしておくと、いたずら等の虞があることから、ボックス空き状態の際にも扉の施錠を行うことができる仕様となっている。そのため、宅配業者に対しても扉の解錠権限を付与しなければならない。この場合、悪意のある宅配業者により、或いは、宅配業者の権限を不正に利用した第三者により、ボックス本体内の荷物が盗み出されてしまう虞がある。
【０００７】
この点、集合住宅に用いられる宅配ボックスは、複数の扉、複数のボックス本体を備えた大規模のシステムとなることから、ユーザー等が操作の際に利用する表示手段等を備えている。そのため、表示手段等を利用することで、ユーザー側のスキームと、宅配業者側のスキームとを切り替えることができる。これにより、不正な行為を規制することができるので、荷物が盗み出されるといった問題は生じにくい。一方で、一戸建て住宅等の宅配ボックスにあっては、住宅一棟等を単位にエンドユーザーに販売されるものであるから、コスト面での制約が大きい。このため、採用できる仕様には限界があり、集合住宅用の仕様をそのまま流用することが難しいという実情がある。
【０００８】
また、特許文献１に開示された手法にあっては、ロッカー管理会社のコンピューターを介在させる必要があるばかりか、宅配用ロッカー側にも通知手段を搭載する必要がある等、低コストでの実現が難しいという問題がある。
【０００９】
本発明はかかる事情に鑑みてなされたものであり、その目的は、簡素な構成でセキュリティ性に優れる宅配ボックスを提供することである。
【課題を解決するための手段】
【００１０】
かかる課題を解決するために、第１の発明は、開閉可能な一つの扉と、内部に荷物を収容可能な一つのボックス本体と、扉の施解錠を行う錠装置と、記録媒体から情報を読み取る読取装置と、扉が閉扉されると当該扉の施錠を行う一方、読取装置が読み取った情報に基づいて扉の解錠を制御する制御装置と、を備えた宅配ボックスを提供する。この場合、記録媒体は、ユーザーに対して用意され、当該ユーザーを認証する固有の認証情報が記録された第１記録媒体と、宅配業者毎に用意され、それぞれに宅配業者を認証する固有の認証情報が記録された複数の第２記録媒体と、を含む。そして、制御装置は、ボックス本体に対する荷物の状況に応じて切り替え可能な複数の動作モードを有し、個々の動作モードについて定められた扉の解錠権限に従って第２記録媒体のそれぞれに対する扉の解錠制御を行う。
【００１１】
ここで、第１の発明において、複数の動作モードは、ボックス本体に荷物が収容されていないボックス空きモードと、ボックス本体に荷物が収容されて、かつ当該荷物が宅配業者により宅配された荷物である着荷モードと、を含むことが好ましい。この場合、ボックス空きモードでは、宅配業者のそれぞれに用意された複数の第２記録媒体の全てに解錠権限が付与され、着荷モードでは、宅配業者のそれぞれに用意された複数の第２記録媒体のいずれにも解錠権限が付与されていないことが望ましい。
【００１２】
また、第１の発明において、複数の動作モードは、ボックス本体に荷物が収容されて、かつ当該荷物が宅配業者により集荷される荷物である集荷モードをさらに含んでいてもよい。この場合、集荷モードでは、宅配業者のそれぞれに用意された複数の第２記録媒体のうち、ユーザーによって指定された所定の第２記録媒体にのみ解錠権限が付与されていることが好ましい。
【００１３】
また、第１の発明において、制御装置は、扉の解錠を行った記録媒体の履歴を示す履歴情報に基づいて、動作モードの切り替えを行うことが好ましい。
【００１４】
また、第１の発明において、ボックス本体に荷物が収容されていることを検知する荷物センサーをさらに有していてもよい。この場合、制御装置は、荷物センサーの検知結果と、扉の解錠を行った直近１回分の記録媒体に関する情報とに基づいて、動作モードの切り替えを行うことが好ましい。
【００１５】
また、第１の発明において、制御装置は、扉の解錠を行った直近２回分の記録媒体に関する情報に基づいて、動作モードの切り替えを行うことが望ましい。
【００１６】
また、第１の発明において、制御装置は、ユーザーが扉の解錠を行う行為が、宅配された荷物の取り出しか、それとも集荷される荷物の預け入れかを示す制御フラグを備えていてもよい。この場合、制御装置は、扉の解錠を行った直近２回分の記録媒体に関する情報と、制御フラグとに基づいて、動作モードの切り替えを行うことが好ましい。
【００１７】
また、第２の発明は、開閉可能な一つの扉と、内部に荷物を収容可能な一つのボックス本体と、扉の施解錠を行う錠装置と、記録媒体から情報を読み取る読取装置と、読取装置が読み取った情報に基づいて扉の解錠を制御する制御装置と、を備えた宅配ボックスを提供する。ここで、記録媒体は、ユーザーに対して用意され、当該ユーザーを認証する固有の認証情報が記録された第１記録媒体と、宅配業者毎に用意され、それぞれに宅配業者を認証する固有の認証情報が記録された複数の第２記録媒体と、を含む。そして、宅配ボックスは、ボックス本体に対する荷物の状況に応じて切り替え可能な複数の動作モードを有し、第１記録媒体には、複数の動作モードのいずれにおいても解錠権限が付与され、第２記録媒体には、複数の動作モードについて定められた扉の解錠権限に従って解錠権限が付与される。
【００１８】
ここで、第２の発明において、複数の動作モードは、ボックス本体に荷物が収容されていないボックス空きモードと、ボックス本体に荷物が収容されて、かつ当該荷物が宅配業者により宅配された荷物である着荷モードと、ボックス本体に荷物が収容されて、かつ当該荷物が宅配業者により集荷される荷物である集荷モードと、を含むことが好ましい。この場合、ボックス空きモードでは、宅配業者のそれぞれに用意された複数の第２記録媒体の全てに解錠権限が付与され、着荷モードでは、宅配業者のそれぞれに用意された複数の第２記録媒体のいずれにも解錠権限が付与されず、集荷モードでは、宅配業者のそれぞれに用意された複数の第２記録媒体のうち、ユーザーによって指定された所定の第２記録媒体にのみ解錠権限が付与されていることが望ましい。
【発明の効果】
【００１９】
本発明によれば、簡素な構成でありながらセキュリティ性に優れる宅配ボックスを提供することができる。
【図面の簡単な説明】
【００２０】
【図１】第１の実施形態に係る宅配ボックスの構成を模式的に示す斜視図
【図２】第１の実施形態に係る宅配ボックスの構成を機能的に示すブロック図
【図３】第１の実施形態に係る宅配ボックスの施解錠処理を示すフローチャート
【図４】第２の実施形態に係る宅配ボックスの施解錠処理を示すフローチャート
【図５】第３の実施形態に係る宅配ボックスの構成を機能的に示すブロック図
【図６】第３の実施形態に係る宅配ボックスの施解錠処理を示すフローチャート
【図７】第３の実施形態に係る宅配ボックスの施解錠処理を示すフローチャート
【発明を実施するための形態】
【００２１】
（第１の実施形態）
図１は、本実施形態に係る宅配ボックス１の構成を模式的に示す斜視図であり、図２は、本実施形態に係る宅配ボックス１の構成を機能的に示すブロック図である。本実施形態に係る宅配ボックス１は、一戸建て住宅に設置される小型のボックスタイプのものであり、当該住宅の住民（以下「ユーザー」という）により利用される。この宅配ボックス１は、荷物預入と、荷物集荷との双方を取り扱うことができる。ここで、荷物預入は、ユーザーへと宅配する荷物を宅配業者が預け入れるものである。荷物集荷は、ユーザーから宅配を依頼された荷物を宅配業者が集荷するものである。
【００２２】
この宅配ボックス１の利用にあたり、ユーザーカードＡと、宅配業者カードＢとを含む二種類のカードが用意されている。ユーザーカードＡ及び宅配業者カードＢは、外部装置により、記録された情報を読み取り可能な記録媒体である。例えば、ユーザーカードＡ及び宅配業者カードＢは、ＲＦＩＤ（Radio Frequency Identifier）に準拠したＩＣタグが組み込まれたＩＣカードである。ここで、ＲＦＩＤとは、１３．５６ＭＨｚ帯の周波数において電磁誘導技術を用いてＩＣカード内の情報を近距離通信により受信して受け付けるものであり、Ｆｅｌｉｃａ（登録商標）やＭｉｆａｒｅ（登録商標）がその代表例として挙げられる。
【００２３】
ユーザーカードＡは、ユーザーを認証する固有の認証情報が記録されたカードである（第１記録媒体）。ユーザーカードＡは、ユーザーに対して用意されるカードであり、宅配ボックス１を利用（解錠）するためにユーザーによって利用される。一方、宅配業者カードＢは、宅配業者を認証する固有の認証情報が記録されたカードである（第２記録媒体）。宅配業者カードＢは、荷物の宅配、集荷を行う宅配業者に対して用意されるカードであり、宅配ボックス１を利用（解錠）するために宅配業者によって利用される。宅配ボックス１を複数の宅配業者が利用する場合には、宅配業者毎に宅配業者カードＢが用意される。本実施形態では、３つの宅配業者を想定し、３つの宅配業者カードＢ１〜Ｂ３が用意されている。以下、３つの宅配業者カードＢ１〜Ｂ３を総称する場合には、宅配業者カードＢ群という。
【００２４】
宅配ボックス１は、一つのボックス本体１０と、一つの扉１１と、錠装置２０と、カードリーダー３０と、制御装置５０とを主体に構成されている。この宅配ボックス１は、電池で動作する電池式であるが、商用電源で動作するものであってもよい。
【００２５】
ボックス本体１０は、荷物を収容する筐体であり、荷物を出し入れするために、前面側が開放された造りとなっている。ボックス本体１０の前面には、扉１１が開閉可能に取り付けられている。
【００２６】
ボックス本体１０の上部には、ポスト１５が設置されている。ポスト１５は、郵便物を受け取る筐体であり、荷物を出し入れするために、前面側が開放された造りとなっている。ポスト１５の前面には、ダイヤル錠を備えた扉が開閉可能に取り付けられている。また、この扉の前面には、当該扉を目隠しする、開閉可能なカバー１６が設けられている。
【００２７】
錠装置２０は、扉１１の施解錠を行う装置であり、例えばボックス本体１０に設けられている。錠装置２０は、制御装置５０からの制御信号に基づいて動作する。
【００２８】
ボックス本体１０の正面の枠体には、閉扉センサー２１が設けられている。ユーザー又は宅配業者が扉１１を閉扉すると、扉１１の閉扉が閉扉センサー２１により検知される。閉扉センサー２１の検知結果は、制御装置５０に入力される。なお、扉１１は、当該扉１１を閉扉方向に付勢しておき、ユーザー等が開扉した扉１１から手を離すと、閉扉センサー２１で検知される閉扉位置まで付勢力で移動するように構成することもできるが、ユーザー等が開扉した扉１１を閉扉センサー２１で検知される閉扉位置まで手動で押し込み操作することにより移動するように構成してもよい。制御装置５０は、扉１１の閉扉を判断すると、錠装置２０に施錠信号を出力し、これにより、錠装置２０が動作することで、扉１１が施錠される。すなわち、扉１１は、閉扉されることで自動的に施錠される。一方、制御装置５０から錠装置２０に解錠信号が出力されると、錠装置２０が動作することで、扉１１が解錠される。これにより、扉１１の開放が可能となる。
【００２９】
カードリーダー３０は、非接触通信を利用して、ユーザーカードＡ等から情報を読み取る装置である。ユーザーカードＡ等がＩＣカードから構成されている本実施形態において、カードリーダー３０は、ＲＦＩＤに準拠したＩＣカードリーダーから構成されている。扉１１の表面には、カードリーダー３０のアンテナ部３１が配設されている。ユーザーカードＡ等がアンテナ部３１に翳されると、カードリーダー３０は、ユーザーカードＡ等に記録されている情報を読み取り、この読み取った情報を制御装置５０へと出力する。
【００３０】
制御装置５０は、宅配ボックス１を制御する機能を担っている。制御装置５０としては、ＣＰＵ、ＲＯＭ、ＲＡＭ、Ｉ／Ｏインターフェースを主体に構成されたマイクロコンピュータを用いることができる。ＣＰＵは、制御プログラムに従い、各種の制御を行う（プロセッサ）。ＲＯＭは、ＣＰＵが実行するプログラム、又はそのプログラムを実行するために必要なデータを記憶する。ＲＡＭは、ＣＰＵがプログラムを実行する際の作業領域である。
【００３１】
本実施形態との関係において、制御装置５０は、記憶部５１、認証部５２、判定部５３としての機能を備えている。
【００３２】
記憶部５１は、各種のプログラムやデータを格納している。例えば、記憶部５１には、正当なユーザーが所持するユーザーカードＡに記録された認証情報、正当な宅配業者が所持する宅配業者カードＢ１〜Ｂ３にそれぞれ記録された認証情報が格納されている。また、記憶部５１には、荷物の集荷を依頼する宅配業者の宅配業者カードＢ１〜Ｂ３が登録集荷業者として格納されている。この登録集荷業者は、ユーザーによって指定される。本実施形態では、登録集荷業者として、宅配業者カードＢ１が１つ登録されている。
【００３３】
また、本実施形態において、記憶部５１には、扉１１の解錠を行った直近１回分のカード（前回のカード）に関する情報が履歴情報として格納されている。この履歴情報には、ユーザーカードＡ、又は宅配業者カードＢ１〜Ｂ３のいずれかが格納されている。履歴情報は、ユーザーカードＡ等により扉１１の解錠が行われると、その都度更新される。
【００３４】
認証部５２は、カードリーダー３０によってカードが読み取られると、当該カードが正当なユーザーカードＡ等であるかの認証を行う。具体的には、認証部５２は、カードリーダー３０がカードから読み取った情報と、記憶部５１に格納された認証情報のそれぞれとを比較する。認証部５２は、カードリーダー３０が読み取った情報が、記憶部５１に格納された認証情報のいずれかと一致した場合には、読み取りが行われたカードを、正当なユーザーカードＡ等であると認証する。認証部５２による認証結果、すなわち、認証の成否、及び認証成功の場合にはカードの情報（ユーザーカードＡ、又は宅配業者カードＢ１〜Ｂ３）が判定部５３に出力される。
【００３５】
判定部５３は、扉１１が閉扉されると当該扉１１の施錠を行う一方、カードリーダー３０が読み取った情報に基づいて扉１１の解錠を制御する。本実施形態との関係において、判定部５３は、ボックス本体１０に対する荷物の状況に応じて切り替え可能な複数の動作モードを有している。そして、判定部５３は、個々の動作モードについて定められた扉１１の解錠権限に従って宅配業者カードＢ１〜Ｂ３のそれぞれに対する扉１１の解錠制御を行う。
【００３６】
また、宅配ボックス１は、荷物センサー４０、表示部４１、解錠機構４３及びシリンダー錠４４をさらに備えている。
【００３７】
荷物センサー４０は、ボックス本体１０に荷物が収容されていることを検知する検知手段である。荷物センサー４０としては、荷物の重量に反応する圧力センサー、荷物が機械的に干渉することで反応するスイッチやセンサー等を用いることができる。荷物センサー４０により荷物の収容が検知されると、その情報（検知信号）が制御装置５０に出力される。
【００３８】
制御装置５０の判定部５３は、検知信号を通じて、ボックス本体１０に荷物が収容されていること、あるいは、ボックス本体１０に荷物が収容されていないことを判断することができる。
【００３９】
表示部４１は、扉１１の施解錠状態を表示するものであり、例えば一対のＬＥＤ４１ａ，４１ｂから構成されている。一対のＬＥＤ４１ａ，４１ｂは、例えば扉１１の表面のアンテナ部３１の近傍に配置されている。一方のＬＥＤ４１ａは、扉１１が施錠状態であることを条件に点灯制御され、他方のＬＥＤ４１ｂは、扉１１が解錠状態であることを条件に点灯制御される。個々のＬＥＤ４１ａ，４１ｂの点灯制御は、制御装置５０により行われる。
【００４０】
解錠機構４３は、制御装置５０からの解錠信号の有無に係わらず、施錠状態の錠装置２０を解錠状態へと切り替えるものである。また、シリンダー錠４４は、扉１１に設けられている。このシリンダー錠４４に、ユーザーに付与された緊急解錠キーを挿入して回動すると、シリンダー錠４４が備える作動カム（図示せず）が回動し、これに連動して解錠機構４３が動作する。この解錠機構４３の動作により、錠装置２０が解錠状態へと切り替わる。すなわち、ユーザーは、緊急解錠キーを利用することで、施錠状態の錠装置２０を解錠状態へと切り替えることができる。これにより、ユーザーカードＡの紛失、制御装置５０の故障、停電や電池切れといった状況であっても、荷物の閉じ込めを解消することができる。
【００４１】
以下、本実施形態に係る宅配ボックス１の動作を説明する。ここで、図３は、本実施形態に係る宅配ボックス１の施解錠処理を示すフローチャートである。このフローチャートに示す処理は、カードリーダー３０によるカードの読み取りをトリガーとして、制御装置５０によって実行される。
【００４２】
ステップ１０（Ｓ１０）において、認証部５２は、カードリーダー３０により読み取られたカード（以下「現在のカード」という）について認証が成功するか否かを判断する。この判断は、現在のカードの情報と、記憶部５１に格納されている認証情報とを比較し、両者が一致するか否かにより行われる。カードの認証が成功した場合、すなわち、ユーザーカードＡ又は宅配業者カードＢ１〜Ｂ３のいずれかが読み取られた場合には本ステップで肯定判定され、ステップ１１（Ｓ１１）に進む。一方、カードの認証が成功しない場合には本ステップで否定判定され、本ルーチンを終了する。
【００４３】
ステップ１１において、判定部５３は、現在のカードが宅配業者カードＢ群に属するカードであるか否かを判断する。現在のカードが宅配業者カードＢ群に属するカードである場合には本ステップで肯定判定され、ステップ１２（Ｓ１２）に進む。一方、現在のカードが宅配業者カードＢ群に属するカードでない場合、すなわち、現在のカードがユーザーカードＡである場合には本ステップで否定判定され、ステップ１５（Ｓ１５）に進む。
【００４４】
ステップ１２において、判定部５３は、荷物センサー４０を参照し、ボックス本体１０に荷物が収容されているか否かを判断する。ボックス本体１０に荷物が収容されている場合には本ステップで肯定判定され、ステップ１３（Ｓ１３）に進む。一方、ボックス本体１０に荷物が収容されていない場合には本ステップで否定判定され、ステップ１５に進む。
【００４５】
ステップ１３において、判定部５３は、履歴情報（すなわち、前回のカード）がユーザーカードＡであるか否かを判断する。履歴情報がユーザーカードＡである場合には本ステップで肯定判定され、ステップ１４（Ｓ１４）に進む。一方、履歴情報がユーザーカードＡ以外である場合には本ステップで否定判定され、本ルーチンを終了する。
【００４６】
ステップ１４において、判定部５３は、現在のカードが、登録集荷業者である宅配業者カードＢ１であるか否かを判断する。現在のカードが宅配業者カードＢ１である場合には本ステップで肯定判定され、ステップ１５に進む。一方、現在のカードが宅配業者カードＢ１以外である場合には本ステップで否定判定され、本ルーチンを終了する。
【００４７】
ステップ１５において、判定部５３は、錠装置２０を制御し、扉１１の解錠を行う。
【００４８】
ステップ１６（Ｓ１６）において、判定部５３は、履歴情報の更新を行う。具体的には、判定部５３は、ステップ１５において扉１１の解錠を行うきっかけとなったカード、すなわち、現在のカードにより、履歴情報を更新する。
【００４９】
ステップ１７（Ｓ１７）において、判定部５３は、閉扉センサー２１の検知結果に基づいて、扉１１が閉扉されたか否かを判断する。扉１１が閉扉された場合には本ステップで肯定判定され、ステップ１８（Ｓ１８）に進む。一方、扉１１が閉扉されない場合には本ステップで否定判定され、ステップ１７に戻る。
【００５０】
ステップ１８において、判定部５３は、錠装置２０を制御し、扉１１の施錠を行う。
【００５１】
このような一連の処理により、宅配ボックス１における扉１１の施解錠が制御される。ここで、本実施形態に係る施解錠制御の概要について説明する。
【００５２】
まず、ユーザーがカードリーダー３０にカードを翳した場合、すなわち、現在のカードがユーザーカードＡである場合には、ステップ１１において否定判定されるため、ステップ１５へと常に移行する。したがって、ユーザーカードＡには、いかなる状況においても（すなわち、後述する動作モードのいずれにおいても）解錠権限が付与されている。これにより、ユーザーカードＡを所持するユーザーは、いかなる状況であっても扉１１の解錠を行うことができる。その結果、宅配された荷物の取り出し、集荷される荷物の預け入れについて、不自由なく行うことができる。
【００５３】
一方、宅配業者がカードリーダー３０にカードを翳した場合、すなわち、現在のカードが宅配業者カードＢ群に属する場合には、以下の３つの動作モードに従って扉１１の解錠が制御される。
【００５４】
まず、ボックス本体１０に荷物が収容されていなければ、ステップ１２において否定判定されるため、ステップ１５へと常に移行する。したがって、宅配業者カードＢ群に属するカードを所持する宅配業者は、いずれも扉１１の解錠を行うことができる。
【００５５】
すなわち、ボックス本体１０に荷物が収容されていない場合、判定部５３は、ボックス空きモードで動作する。このボックス空きモードでは、宅配業者のそれぞれに用意された３つの宅配業者カードＢ１〜Ｂ３の全てに解錠権限が付与されている。そして、判定部５３がこの解錠権限に従って扉１１の解錠制御を行うことで、全ての宅配業者に対して扉１１の解錠が許可される。これにより、宅配業者は、宅配する荷物を適切に預け入れることができる。このボックス空きモードでは、いずれの宅配業者であっても扉１１の解錠を行うことができてしまうが、ボックス本体１０に荷物が収容されていない状況であれば、荷物の不正な取り出しといったことも起こりえない。
【００５６】
また、ボックス本体１０に荷物が収容されている状況で、履歴情報が宅配業者カードＢ群に属するカードである場合には、宅配業者により荷物が宅配され、その荷物がユーザーによって取り出されていないことを意味する。この場合には、ステップ１２の肯定判定、ステップ１３の否定判定に従い、ステップ１５へ移行することなく、本ルーチンが終了する。したがって、宅配業者に対して扉１１の解錠は行われない。
【００５７】
すなわち、ボックス本体１０に荷物が収容され、かつこの荷物が宅配業者により宅配された荷物である場合、判定部５３は、着荷モードで動作する。この着荷モードでは、宅配業者のそれぞれに用意された３つの宅配業者カードＢ１〜Ｂ３のいずれにも解錠権限が付与されていない。そして、判定部５３がこの解錠権限に従って扉１１の解錠制御を行うことで、全ての宅配業者に対して扉１１の解錠が規制される。これにより、宅配業者による荷物の不正な取り出しを抑制することができる。
【００５８】
これに対して、ボックス本体１０に荷物が収容されている状況で、履歴情報がユーザーカードＡである場合には、集荷される荷物をユーザーが預け入れ、その荷物が宅配業者により集荷されていないことを意味する。この場合には、ステップ１２の肯定判定、ステップ１３の肯定判定に従い、ステップ１４へ移行する。そして、現在のカードが登録集荷業者である宅配業者カードＢ１であれば、ステップ１４において肯定判定され、ステップ１５へと移行する。したがって、登録集荷業者に指定された宅配業者にのみ、扉１１の解錠が行われる。一方で、現在のカードが登録集荷業者である宅配業者カードＢ１でなければ、ステップ１４において否定判定され、ステップ１５へ移行することなく、本ルーチンが終了する。したがって、登録集荷業者に指定された宅配業者以外の宅配業者に対して扉１１の解錠は行われない。
【００５９】
すなわち、ボックス本体１０に荷物が収容され、かつこの荷物が宅配業者により集荷される荷物である場合、判定部５３は、集荷モードで動作する。この集荷モードでは、宅配業者のそれぞれに用意された３つの宅配業者カードＢ１〜Ｂ３のうち、ユーザーによって指定された宅配業者カードＢ１にのみ解錠権限が付与されている。そして、判定部５３がこの解錠権限に従って扉１１の解錠制御を行うことで、登録集荷業者に対してのみ扉１１の解錠が許可され、それ以外の宅配業者には、扉１１の解錠が規制される。これにより、荷物の不正な取り出しを抑制することができる。
【００６０】
このように本実施形態において、制御装置５０は、ボックス本体１０に対する荷物の状況に応じて切り替え可能な複数の動作モードを有している。そして、制御装置５０は、個々の動作モードについて定められた扉１１の解錠権限に従って宅配業者カードＢ１〜Ｂ３のそれぞれに対する扉１１の解錠制御を行っている。
【００６１】
この構成によれば、ボックス本体１０に対する荷物の状況に応じ、宅配業者カードＢ１〜Ｂ３のそれぞれに対する扉１１の解錠の可否を適切に切り替えることができる。これにより、荷物の状況に応じて、必要な宅配業者カードＢ１〜Ｂ３に対してのみ解錠を許可することができる。その結果、悪意のある宅配業者により、或いは、宅配業者の権限を不正に利用した第三者により、荷物が盗み出されるという事態を抑制することができる。また、カードリーダー３０を利用したカードの読み取りのみでシステムを構築することができるので、システムを簡素に構築することができる。その結果、簡素な構成でありながらセキュリティ性に優れる宅配ボックス１を提供することができる。
【００６２】
また、本実施形態において、複数の動作モードは、ボックス本体１０に荷物が収容されていないボックス空きモードと、ボックス本体１０に荷物が収容されて、かつ当該荷物が宅配業者により宅配された荷物である着荷モードと、を含んでいる。この場合、ボックス空きモードでは、宅配業者のそれぞれに用意された３つの宅配業者カードＢ１〜Ｂ３の全てに解錠権限が付与され、着荷モードでは、宅配業者のそれぞれに用意された３つの宅配業者カードＢ１〜Ｂ３のいずれにも解錠権限が付与されていない。
【００６３】
この構成によれば、荷物預入機能を備える宅配ボックス１において、簡素な構成でありながらセキュリティ性に優れる宅配ボックス１を提供することができる。
【００６４】
また、本実施形態において、複数の動作モードは、ボックス本体１０に荷物が収容されて、かつ当該荷物が宅配業者により集荷される荷物である集荷モードをさらに含んでいる。この場合、集荷モードでは、宅配業者のそれぞれに用意された３つの宅配業者カードＢ１〜Ｂ３のうち、ユーザーによって指定された所定の宅配業者カードＢ１にのみ解錠権限が付与されている。
【００６５】
この構成によれば、荷物預入と荷物集荷との両方を取り扱いつつ、簡素な構成でありながらセキュリティ性に優れる宅配ボックスを提供することができる。
【００６６】
また、本実施形態において、ユーザーカードＡには、３つの動作モードのいずれにおいても解錠権限が付与されている。
【００６７】
この構成によれば、ユーザーは、宅配された荷物の取り出し、集荷される荷物の預け入れについて、不自由なく行うことができる。
【００６８】
また、本実施形態において、制御装置５０は、扉１１の解錠を行ったカードの履歴を示す履歴情報に基づいて、動作モードを切り替えている。
【００６９】
この構成によれば、カードリーダー３０を利用したカードの読み取りを通じて、本制御システムを実現することができる。その結果、簡素な構成でありながらセキュリティ性に優れる宅配ボックス１を提供することができる。
【００７０】
また、本実施形態において、宅配ボックス１は、ボックス本体１０に荷物が収容されていることを検知する荷物センサー４０をさらに有している。そして、制御装置５０は、荷物センサー４０の検知結果と、扉１１の解錠を行った直近１回分のカードに関する情報（履歴情報）とに基づいて、動作モードを切り替えている。
【００７１】
この構成によれば、荷物センサー４０を併用することで、扉１１の解錠を行った直近１回分のカードに関する情報に基づいて動作モードを切り替えることができる。これにより、簡素な構成でありながらセキュリティ性に優れる宅配ボックス１を提供することができる。
【００７２】
（第２の実施形態）
以下、第２の実施形態に係る宅配ボックス１について説明する。本実施形態に係る宅配ボックス１が第１の実施形態のそれと相違する点は、荷物を預け入れた宅配業者については複数回の解錠が許可されることである。以下、第１の実施形態との相違点を中心に説明を行う。
【００７３】
図４は、本実施形態に係る宅配ボックス１の施解錠処理を示すフローチャートである。このフローチャートに示す処理は、カードリーダー３０によるカードの読み取りをトリガーとして、制御装置５０によって実行される。ここで、ステップ２０（Ｓ２０）からステップ２８（Ｓ２８）までの処理は、第１の実施形態に示すステップ１０からステップ１８までの処理とそれぞれ対応している。そのため、各ステップの詳細な説明は省略する。
【００７４】
本実施形態では、ステップＳ２３（Ｓ２３）において否定判定された場合、ステップ２９（Ｓ２９）の処理に移行する。ステップ２９において、判定部５３は、履歴情報と、現在のカードとが一致するか否かを判定する。履歴情報と現在のカードとが一致する場合には本ステップで肯定判定され、ステップ２５（Ｓ２５）に進む。一方、履歴情報と現在のカードとが一致しない場合には本ステップで否定判定され、本ルーチンを終了する。
【００７５】
ボックス本体１０に荷物が収容されている状況で、履歴情報が宅配業者カードＢ群に属するカードである場合には、宅配業者により荷物が宅配され、その荷物がユーザーによって取り出されていないことを意味する。そして、履歴情報と現在のカードとが一致する場合には、荷物を預け入れた宅配業者が扉１１の解錠を再度行うものである。この場合には、ステップ２２（Ｓ２２）の肯定判定、ステップ２３の否定判定に従い、ステップ２９へ移行する。そして、ステップ２９において肯定判定され、ステップ２５へ移行する。したがって、前回扉１１の解錠を行った宅配業者に対しては、扉１１の解錠が許可される。一方で、履歴情報が現在のカードと一致しなければ、ステップ２９において否定判定され、ステップ２５へ移行することなく、本ルーチンが終了する。したがって、前回扉１１の解錠を行った宅配業者以外の宅配業者に対して扉１１の解錠が規制される。
【００７６】
すなわち、第２の実施形態に係る着荷モードでは、宅配業者のそれぞれに用意された３つの宅配業者カードＢ１〜Ｂ３のうち、履歴情報と一致する宅配業者カードＢ１〜Ｂ３にのみ解錠権限が付与される。そして、判定部５３がこの解錠権限に従って扉１１の解錠制御を行うことで、荷物を直前に預け入れた宅配業者には扉１１の解錠が許可される。これにより、宅配業者が誤って施錠してしまった場合でも、再度解錠を行うことができる。これにより、宅配業者にとって取り扱いやすいシステムを提供することができる。一方、その他の宅配業者については、扉１１の解錠が許可されないので、荷物の不正な取り出しを抑制することができる。
【００７７】
（第３の実施形態）
以下、第３の実施形態に係る宅配ボックス１について説明する。本実施形態に係る宅配ボックス１が第１の実施形態又は第２の実施形態のそれと相違する点は、荷物センサーを用いることなく施解錠処理を実施することである。以下、第１の実施形態又は第２の実施形態との相違点を中心に説明を行う。
【００７８】
図５は、本実施形態に係る宅配ボックス１の構成を機能的に示すブロック図である。本実施形態に係る宅配ボックス１は、荷物センサーを備えていない。そのため、判定部５３は、扉１１の解錠を行った直近２回分のカード（前々回のカード及び前回のカード）に関する情報に基づいて、動作モードの切り替えを行っている。また、判定部５３は、ユーザーが扉１１の解錠を行う行為が、宅配された荷物の取り出しか、それとも集荷される荷物の預け入れかを示す制御フラグを備えている。具体的には、制御フラグは、宅配された荷物の取り出しの場合に「０」のままとなり、集荷される荷物の預け入れの場合に「１」にセットされる。
【００７９】
記憶部５１には、前々回扉１１の解錠を行ったカード（前々回のカード）及び前回扉１１の解錠を行ったカード（前回のカード）に関する情報が履歴情報として格納されている。すなわち、履歴情報は、扉１１の解錠を行った直近２回分のカードに関する情報に相当する。この履歴情報には、ユーザーカードＡ又は宅配業者カードＢ１〜Ｂ３のいずれかが格納されている。履歴情報は、ユーザーカードＡ等により扉１１の解錠が行われると、その都度更新される。また、履歴情報として、ユーザーカードＡが格納される場合には、制御フラグの状況が反映される。すなわち、制御フラグが「１」の状況においてユーザーカードＡで扉１１の解錠が行われた場合には、履歴情報はフラグ付きのユーザーカードＡ１となり、制御フラグが「０」の状況においてユーザーカードＡで解錠された場合、履歴情報は単にユーザーカードＡとなる。
【００８０】
図６及び図７は、本実施形態に係る宅配ボックス１の施解錠処理を示すフローチャートである。このフローチャートに示す処理は、カードリーダー３０によるカードの読み取りをトリガーとして、制御装置５０によって実行される。
【００８１】
まず、ステップ４０（Ｓ４０）において、認証部５２は、カードリーダー３０により読み取られたカード、すなわち、現在のカードについて認証が成功するか否かを判断する。この判断は、現在のカードの情報と、記憶部５１に格納されている認証情報とを比較し、両者が一致するか否かにより行われる。カードの認証が成功した場合、すなわち、ユーザーカードＡ又は宅配業者カードＢ１〜Ｂ３のいずれかが読み取られた場合には本ステップで肯定判定され、ステップ４１（Ｓ４１）に進む。一方、カードの認証が成功しない場合には本ステップで否定判定され、本ルーチンを終了する。
【００８２】
ステップ４１において、判定部５３は、現在のカードがユーザーカードＡであるか否かを判断する。現在のカードがユーザーカードＡである場合には本ステップで肯定判定され、ステップ４２（Ｓ４２）に進む。一方、現在のカードがユーザーカードＡでない場合には本ステップで否定判定され、ステップ４５（Ｓ４５）に進む。
【００８３】
ステップ４２において、判定部５３は、図示しないタイマーをスタートさせる。
【００８４】
ステップ４３（Ｓ４３）において、判定部５３は、タイマーのカウント値を参照し、現在のカードがカードリーダー３０に翳されている時間が、所定の判定時間内であるか否かを判断する。この第３の実施形態では、集荷される荷物を預け入れる際にはユーザーカードＡを長期間翳し、宅配された荷物を取り出す際にはユーザーカードＡを短期間翳す、といった宅配ボックス１の運用に関するルールがユーザーとの間で取り決められている。すなわち、このステップ４３では、カードを翳した時間によって、集荷される荷物の預け入れを行うのか、それとも宅配された荷物の取り出しを行うのかというユーザーの意思を判断している。
【００８５】
カードが翳された時間が判定時間内である場合、すなわち、宅配された荷物を取り出す場合には本ステップで肯定判定され、ステップ５０（Ｓ５０）に進む。一方、カードが翳された時間が判定時間よりも長い場合、すなわち、集荷される荷物を預け入れる場合には本ステップで否定判定され、ステップ４４（Ｓ４４）に進む。
【００８６】
ステップ４４において、判定部５３は、制御フラグＦを「１」にセットする。
【００８７】
ステップ４５において、判定部５３は、制御フラグＦが「１」であるか否かを判断する。制御フラグＦが「１」である場合には本ステップで肯定判定され、ステップ４６（Ｓ４６）に進む。一方、制御フラグＦが「１」でない場合には本ステップで否定判定され、ステップ４８（Ｓ４８）に進む。
【００８８】
ステップ４６において、判定部５３は、現在のカードが、登録集荷業者である宅配業者カードＢ１であるか否かを判断する。現在のカードが宅配業者カードＢ１である場合には本ステップで肯定判定され、ステップ４７（Ｓ４７）に進む。一方、現在のカードが宅配業者カードＢ１以外である場合には本ステップで否定判定され、本ルーチンを終了する。
【００８９】
ステップ４７において、判定部５３は、制御フラグＦを「０」にリセットする。
【００９０】
ステップ４８において、判定部５３は、履歴情報が規定パターンに該当するか否かを判断する。ここで、規定のパターンとは、前回のカードが登録集荷業者である宅配業者カードＢ１となり、かつ、前々回のカードがフラグ付きのユーザーカードＡ１となることである。履歴情報が規定パターンに該当する場合には本ステップで肯定判定され、ステップ５０に進む。一方、履歴情報が所定パターンに該当しない場合には本ステップで否定判定され、ステップ４９（Ｓ４９）に進む。
【００９１】
ステップ４９において、判定部５３は、前回のカードが宅配業者カードＢ群に属するカードであるか否かを判断する。前回のカードが宅配業者カードＢ群に属するカードである場合には本ステップで肯定判定され、本ルーチンを終了する。一方、前回のカードが宅配業者カードＢ群に属するカード以外である場合には本ステップで否定判定され、ステップ５０に進む。
【００９２】
ステップ５０において、判定部５３は、錠装置２０を制御し、扉１１の解錠を行う。
【００９３】
ステップ５１（Ｓ５１）において、判定部５３は、履歴情報の更新を行う。具体的には、判定部５３は、現在のカードと前回のカードとにより、履歴情報を更新する。
【００９４】
ステップ５２（Ｓ５２）において、判定部５３は、閉扉センサー２１の検知結果に基づいて、扉１１が閉扉されたか否かを判断する。扉１１が閉扉された場合には本ステップで肯定判定され、ステップ５３（Ｓ５３）に進む。一方、扉１１が閉扉されない場合には本ステップで否定判定され、ステップ５２に戻る。
【００９５】
ステップ５３において、判定部５３は、錠装置２０を制御し、扉１１の施錠を行う。
【００９６】
このような一連の処理により、宅配ボックス１における扉１１の施解錠が制御される。ここで、本実施形態に係る施解錠制御の概要について説明する。
【００９７】
まず、ユーザーがカードリーダー３０にカードを翳した場合、すなわち、現在のカードがユーザーカードＡである場合には、ステップ４１において肯定判定されるため、ステップ５０へと常に移行する。したがって、ユーザーカードＡには、いかなる状況においても（すなわち、後述する動作モードのいずれにおいても）解錠権限が付与されている。これにより、ユーザーカードＡを所持するユーザーは、いかなる状況であっても扉１１の解錠を行うことができる。その結果、宅配された荷物の取り出し、集荷される荷物の預け入れについて、不自由なく行うことができる。
【００９８】
一方、宅配業者がカードリーダー３０にカードを翳した場合、すなわち、現在のカードが宅配業者カードＢ群に属する場合には、以下の３つの動作モードに従って扉１１の解錠が制御される。
【００９９】
まず、宅配業者により宅配された荷物が取り出された以降においては、制御フラグＦが「０」になっている。また、集荷される荷物を預け入れた後、この荷物が宅配業者により引き取られた場合、前回のカードは登録集荷業者である宅配業者カードＢ１、前々回のカードはフラグ付きのユーザーカードＡ１となる。したがって、ステップ４５の否定判定、及び、ステップ４８の肯定判定を通じて、ボックス本体１０に荷物が収容されていない状況を判断することができる。この場合には、ステップ５０へと移行するので、宅配業者カードＢ群に属するカードを所持する宅配業者は、いずれも扉１１の解錠を行うことができる。
【０１００】
すなわち、ボックス本体１０に荷物が収容されていない場合、判定部５３は、ボックス空きモードで動作する。このボックス空きモードでは、宅配業者のそれぞれに用意された３つの宅配業者カードＢ１〜Ｂ３の全てに解錠権限が付与されている。そして、判定部５３がこの解錠権限に従って扉１１の解錠制御を行うことで、全ての宅配業者に対して扉１１の解錠が許可される。これにより、宅配業者は、宅配する荷物を適切に預け入れることができる。このボックス空きモードでは、いずれの宅配業者であっても扉１１の解錠を行うことができるが、ボックス本体１０に荷物が収容されていない状況であれば、荷物の不正な取り出しといったことも起こりえない。
【０１０１】
また、宅配業者により宅配された荷物が取り出された以降においては、制御フラグＦが「０」になっている。一方で、履歴情報が規定パターンに該当しない場合には、荷物の取り出し以降に、宅配業者により荷物が改めて宅配された可能性がある。よって、前回のカードが宅配業者カードＢ群に属するカードであるかどうかを判断することで、宅配業者により荷物が宅配され、かつその荷物がユーザーによって取り出されていない状況を判断することができる。この場合には、ステップ４５の否定判定、ステップ４８の否定判定、及びステップ４９の肯定判定を通じ、ステップ５０へ移行することなく、本ルーチンが終了する。したがって、宅配業者に対して扉１１の解錠は行われない。
【０１０２】
すなわち、ボックス本体１０に荷物が収容され、かつこの荷物が宅配業者により宅配された荷物である場合、判定部５３は、着荷モードで動作する。この着荷モードでは、宅配業者のそれぞれに用意された３つの宅配業者カードＢ１〜Ｂ３のいずれにも解錠権限が付与されていない。そして、判定部５３がこの解錠権限に従って扉１１の解錠制御を行うことで、全ての宅配業者に対して扉１１の解錠が規制される。これにより、宅配業者による荷物の不正な取り出しを抑制することができる。
【０１０３】
これに対して、宅配業者により集荷される荷物をユーザーが預け入れ、その荷物が宅配業者により集荷されていない場合には、制御フラグＦが「１」となり、ステップ４５において肯定判定される。そして、現在のカードが登録集荷業者である宅配業者カードＢ１であれば、ステップ４６において肯定判定され、ステップ５０へと移行する。したがって、登録集荷業者に指定された宅配業者にのみ、扉１１の解錠が行われる。一方で、現在のカードが登録集荷業者である宅配業者カードＢ１でなければ、ステップ４６において否定判定され、ステップ５０へ移行することなく、本ルーチンが終了する。したがって、登録集荷業者に指定された宅配業者以外の宅配業者に対して扉１１の解錠は行われない。
【０１０４】
すなわち、ボックス本体１０に荷物が収容され、かつこの荷物が宅配業者により集荷される荷物である場合、判定部５３は、集荷モードで動作する。この集荷モードでは、宅配業者のそれぞれに用意された３つの宅配業者カードＢ１〜Ｂ３のうち、ユーザーによって指定された宅配業者カードＢ１にのみ解錠権限が付与されている。そして、判定部５３がこの解錠権限に従って扉１１の解錠制御を行うことで、登録集荷業者に対してのみ扉１１の解錠が許可され、それ以外の宅配業者には、扉１１の解錠が規制される。これにより、荷物の不正な取り出しを抑制することができる。
【０１０５】
このように本実施形態において、制御装置５０は、ボックス本体１０に対する荷物の状況に応じて切り替え可能な複数の動作モードを有している。そして、制御装置５０は、個々の動作モードについて定められた扉１１の解錠権限に従って宅配業者カードＢ１〜Ｂ３のそれぞれに対する扉１１の解錠制御を行っている。これにより、第１の実施形態と同様に、簡素な構成でありながらセキュリティ性に優れる宅配ボックス１を提供することができる。
【０１０６】
また、本実施形態において、制御装置５０は、扉１１の解錠を行った直近２回分の記録媒体に関する情報に基づいて、動作モードの切り替えを行っている。
【０１０７】
この構成によれば、履歴情報のみで動作モードの切り替えを行うことができる。したがって、カードリーダー３０を利用したカードの読み取りのみで、システムを構築することができる。その結果、簡素な構成でありながらセキュリティ性に優れる宅配ボックス１を提供することができる。
【０１０８】
また、本実施形態において、制御装置５０は、扉１１の解錠を行った直近２回分の記録媒体に関する情報と、制御フラグＦとに基づいて、動作モードの切り替えを行っている。
【０１０９】
この構成によれば、動作モードの切り替えを適切に行うことができる。これにより、簡素な構成でありながらセキュリティ性に優れる宅配ボックス１を提供することができる。
【０１１０】
以上、本実施形態に係る宅配ボックスについて説明したが、本発明はこの実施形態に限定されることなく、その発明の範囲において種々の変更が可能である。
【０１１１】
例えば、本実施形態では、記録媒体としてカードを例示したが、磁気カード等その他の記録媒体を広く用いることができる。
【０１１２】
カードを翳した時間で制御フラグを「１」へと切り替えているが、ボタン等の操作であってもよい。すなわち、ユーザーが扉の解錠を行う行為が、宅配された荷物の取り出しか、それとも集荷される荷物の預け入れかを示すユーザーの意思が制御装置に入力されるのであれば、いかなる方法を利用してもよい。
【０１１３】
また、本実施形態では、一戸建て住宅における利用を前提に宅配ボックスを説明したが、一戸建て住宅以外にも小規模なオフィスや施設等において利用するものであってもよい。
【０１１４】
また、本実施形態に係る宅配ボックスは、扉が閉扉されると扉の施錠を自動的に行うように構成されているが、扉が閉扉された際に、ユーザー等の操作やその他の条件を判断して扉の施錠を行うように構成されていてもよい。
【符号の説明】
【０１１５】
１      宅配ボックス
１０      ボックス本体
１１      扉
２０      錠装置
２１      閉扉センサー
３０      カードリーダー
３１      アンテナ部
４０      荷物センサー
４１      表示部
４１ａ，４１ｂ    ＬＥＤ
４３      解錠機構
４４      シリンダー錠
５０      制御装置
５１      記憶部
５２      認証部
５３      判定部
Ａ      ユーザーカード
Ｂ（Ｂ１，Ｂ２，Ｂ３）      宅配業者カード
Ｆ      制御フラグ
【図１】
2019058382.tif 000003
【図２】
2019058382.tif 000004
【図３】
2019058382.tif 000005
【図４】
2019058382.tif 000006
【図５】
2019058382.tif 000007
【図６】
2019058382.tif 000008
【図７】
2019058382.tif 000009